(57)【特許請求の範囲】
【請求項１】
ＩＴＵ−Ｔ勧告によるＶ．３４、Ｖ．８、Ｖ．２１、Ｖ．２７ｔｅｒ、Ｖ．２９、Ｖ．１７通信可能なデータ通信装置において、
着信時にＡＮＳａｍ信号を送信し、相手機からＣＭ信号を受信した場合は、以後に着信するＤＩＳ信号のＦＩＦは所定バイトＡとし、
一方、相手機からＣＭ信号を受信できない場合は、Ｖ．２１により所定バイトＡのＦＩＦのＤＩＳ信号を送信し、
ここで所定回数Ｃ連続して相手機から有効信号を検出できない場合に、Ｖ．２１により所定バイトＢのＦＩＦのＤＩＳ信号を送信し、
上記ＡＮＳａｍ信号を送信し、相手機からＣＭ信号を検出した場合、あるいは上記Ｖ．２１の所定バイトＡのＦＩＦのＤＩＳ信号を送信し、これに対してＶ．８のＣＩ信号を検出した場合に、Ｖ．３４のプロトコルシーケンスに移行した場合には、ＤＩＳ信号を送信するときに常にＦＩＦを所定バイトＡとし、
上記所定バイトＡは１０、所定バイトＢは４、所定回数Ｃは２とすることを特徴とするデータ通信装置。
【請求項２】
ＩＴＵ−Ｔ勧告によるＴ．３０に基づくファクシミリ通信を行うデータ通信装置において、
着信時あるいは受信時における初期識別信号の送信で、所定回数Ｄまでの初期識別信号はＦＩＦがＦバイトであるＤＩＳ信号を送信し、所定回数Ｄを超え所定回数Ｅまでの初期識別信号はＦＩＦがＧバイトであるＤＩＳ信号を送信し、所定回数Ｅを超えた初期識別信号はＦＩＦがＨバイトであるＤＩＳ信号を送信し、
上記ＤＩＳ信号のＦＩＦのバイト数が、Ｆ、Ｇ、Ｈの順に数が小さくなることを特徴とするデータ通信装置。
【請求項３】
請求項２において、
上記Ｆは１０、上記Ｇは６、上記Ｈは４とすることを特徴とするデータ通信装置。
【請求項４】
請求項２において、
上記所定回数Ｄは２、上記所定回数Ｅは４とすることを特徴とするデータ通信装置。
【請求項５】
請求項２〜４のいずれか１項において、
手動動作と自動動作で所定回数Ｄ、所定回数Ｅを別々に設定できることを特徴とするデータ通信装置。
【請求項６】
請求項２〜４のいずれか１項において、
ＣＳＩ信号の送信の有無により、上記所定回数Ｄ、所定回数Ｅを別々に設定できることを特徴とするデータ通信装置。
【請求項７】
ＩＴＵ−Ｔ勧告Ｔ．３０に基づくファクシミリ通信を行うデータ通信装置において、
着信時に初期識別信号として所定バイトＩのＦＩＦのＤＩＳ信号を送信し、前手順エラーとなった場合に次回の着信に対しては、初期識別信号として所定バイトＪのＦＩＦのＤＩＳ信号を送信し、
上記所定バイトＪは、上記所定バイトＩより小さいことを特徴とするデータ通信装置。
【請求項８】
ＩＴＵ−Ｔ勧告Ｔ．３０に基づくファクシミリ通信を行うデータ通信装置において、
着信時に初期識別信号として所定バイトＩのＦＩＦのＤＩＳ信号を送信し、前手順エラーとなった場合に、以後所定時間Ｋの間は、着信時に初期識別信号として所定バイトＪのＦＩＦのＤＩＳ信号を送信し、
上記所定バイトＪは、上記所定バイトＩより小さいことを特徴とするデータ通信装置。
【請求項９】
請求項７または請求項８において、
上記Ｉは１０とし、上記Ｊは４とすることを特徴とするデータ通信装置。
【請求項１０】
ＩＴＵ−Ｔ勧告によるＶ．３４、Ｖ．８、Ｖ．２１、Ｖ．２７ｔｅｒ、Ｖ．２９、Ｖ．１７通信を行うファクシミリ通信方法において、
着信時にＡＮＳａｍ信号を送信し、相手機からＣＭ信号を受信した場合は、以後に着信するＤＩＳ信号のＦＩＦは所定バイトＡとし、
一方、相手機からＣＭ信号を受信できない場合は、Ｖ．２１により所定バイトＡのＦＩＦのＤＩＳ信号を送信し、
ここで所定回数Ｃ連続して相手機から有効信号を検出できない場合に、Ｖ．２１により所定バイトＢのＦＩＦのＤＩＳ信号を送信し、
上記ＡＮＳａｍ信号を送信し、相手機からＣＭ信号を検出した場合、あるいは上記Ｖ．２１の所定バイトＡのＦＩＦのＤＩＳ信号を送信し、これに対してＶ．８のＣＩ信号を検出した場合に、Ｖ．３４のプロトコルシーケンスに移行した場合には、ＤＩＳ信号を送信するときに常にＦＩＦを所定バイトＡとし、
上記所定バイトＡは１０、所定バイトＢは４、所定回数Ｃは２とすることを特徴とするファクシミリ通信方法。
【請求項１１】
ＩＴＵ−Ｔ勧告によるＴ．３０に基づくファクシミリ通信方法において、
着信時あるいは受信時における初期識別信号の送信で、所定回数Ｄまでの初期識別信号はＦＩＦがＦバイトであるＤＩＳ信号を送信し、所定回数Ｄを超え所定回数Ｅまでの初期識別信号はＦＩＦがＧバイトであるＤＩＳ信号を送信し、所定回数Ｅを超えた初期識別信号はＦＩＦがＨバイトであるＤＩＳ信号を送信し、
上記ＤＩＳ信号のＦＩＦのバイト数が、Ｆ、Ｇ、Ｈの順に数が小さくなることを特徴とするファクシミリ通信方法。
【請求項１２】
ＩＴＵ−Ｔ勧告Ｔ．３０に基づくファクシミリ通信方法において、
着信時に初期識別信号として所定バイトＩのＦＩＦのＤＩＳ信号を送信し、前手順エラーとなった場合に次回の着信に対しては、初期識別信号として所定バイトＪのＦＩＦのＤＩＳ信号を送信し、
上記所定バイトＪは、上記所定バイトＩより小さいことを特徴とするファクシミリ通信方法。
【請求項１３】
ＩＴＵ−Ｔ勧告Ｔ．３０に基づくファクシミリ通信方法において、
着信時に初期識別信号として所定バイトＩのＦＩＦのＤＩＳ信号を送信し、前手順エラーとなった場合に、以後所定時間Ｋの間は、着信時に初期識別信号として所定バイトＪのＦＩＦのＤＩＳ信号を送信し、
上記所定バイトＪは、上記所定バイトＩより小さいことを特徴とするファクシミリ通信方法。
【請求項１４】
ＩＴＵ−Ｔ勧告によるＶ．３４、Ｖ．８、Ｖ．２１、Ｖ．２７ｔｅｒ、Ｖ．２９、Ｖ．１７通信を行うプログラムを記憶したコンピュータ読取可能な記憶媒体において、
着信時にＡＮＳａｍ信号を送信し、相手機からＣＭ信号を受信した場合は、以後に着信するＤＩＳ信号のＦＩＦは所定バイトＡとし、
一方、相手機からＣＭ信号を受信できない場合は、Ｖ．２１により所定バイトＡのＦＩＦのＤＩＳ信号を送信し、
ここで所定回数Ｃ連続して相手機から有効信号を検出できない場合に、Ｖ．２１により所定バイトＢのＦＩＦのＤＩＳ信号を送信し、
上記ＡＮＳａｍ信号を送信し、相手機からＣＭ信号を検出した場合、あるいは上記Ｖ．２１の所定バイトＡのＦＩＦのＤＩＳ信号を送信し、これに対してＶ．８のＣＩ信号を検出した場合に、Ｖ．３４のプロトコルシーケンスに移行した場合には、ＤＩＳ信号を送信するときに常にＦＩＦを所定バイトＡとし、
上記所定バイトＡは１０、所定バイトＢは４、所定回数Ｃは２とするように制御するプログラムを記憶したことを特徴とする記憶媒体。
【請求項１５】
ＩＴＵ−Ｔ勧告によるＴ．３０に基づくファクシミリ通信を行うプログラムを記憶したコンピュータ読取可能な記憶媒体において、
着信時あるいは受信時における初期識別信号の送信で、所定回数Ｄまでの初期識別信号はＦＩＦがＦバイトであるＤＩＳ信号を送信し、所定回数Ｄを超え所定回数Ｅまでの初期識別信号はＦＩＦがＧバイトであるＤＩＳ信号を送信し、所定回数Ｅを超えた初期識別信号はＦＩＦがＨバイトであるＤＩＳ信号を送信し、
上記ＤＩＳ信号のＦＩＦのバイト数が、Ｆ、Ｇ、Ｈの順に数が小さくなるように制御するプログラムを記憶したことを特徴とする記憶媒体。
【請求項１６】
ＩＴＵ−Ｔ勧告Ｔ．３０に基づくファクシミリ通信を行うプログラムを記憶したコンピュータ読取可能な記憶媒体において、
着信時に初期識別信号として所定バイトＩのＦＩＦのＤＩＳ信号を送信し、前手順エラーとなった場合に次回の着信に対しては、初期識別信号として所定バイトＪのＦＩＦのＤＩＳ信号を送信するように制御し、
上記所定バイトＪは、上記所定バイトＩより小さくなるように制御するプログラムを記憶したことを特徴とする記憶媒体。
【請求項１７】
ＩＴＵ−Ｔ勧告Ｔ．３０に基づくファクシミリ通信を行うプログラムを記憶したコンピュータ読取可能な記憶媒体において、
着信時に初期識別信号として所定バイトＩのＦＩＦのＤＩＳ信号を送信し、前手順エラーとなった場合に、以後所定時間Ｋの間は、着信時に初期識別信号として所定バイトＪのＦＩＦのＤＩＳ信号を送信するように制御し、
上記所定バイトＪは、上記所定バイトＩより小さくなるように制御するプログラムを記憶したことを特徴とする記憶媒体。
【発明の詳細な説明】
【０００１】
【発明の属する技術分野】
本発明は、ＩＴＵ−Ｔ勧告に基づいてファクシミリ通信を行うデータ通信装置に関する。
【０００２】
【従来の技術】
従来のファクシミリ装置において、ＤＩＳ信号のＦＩＦのバイト数は、Ｖ．２１で送信するＤＩＳ信号のＦＩＦのバイト数と同一であり、常に所定バイトを送信していた。
【０００３】
【発明が解決しようとする課題】
しかしながら、例えばＶ．８、Ｖ．３４通信が可能なファクシミリ装置は、１９９６年に正式にＩＴＵ−Ｔにより勧告化されているので、ＦＩＦが１０バイトであるＤＩＳ信号の受信が可能であるが、１９８０年代前半に製品化されたＧ３ファクシミリ装置では、ＩＴＵ−Ｔ勧告により、ＤＩＳ信号のＦＩＦは４バイトまで勧告化されていたので、その時代の製品でＤＩＳ信号のＦＩＦの拡張を考慮していないものでは、ＤＩＳ信号として４バイトのＦＩＦまでしが受信できず、Ｖ．８、Ｖ．３４のファクシミリ装置は、上記のような旧来のファクシミリ装置と通信ができないという欠点があった。
【０００４】
そこで本発明は、ＤＩＳ信号のＦＩＦのバイト数が異なる装置間でも確実に通信を行うことができるデータ通信装置を提供することを目的とする。
【０００５】
【課題を解決するための手段】
本発明は、ＩＴＵ−Ｔ勧告によるＶ．３４、Ｖ．８、Ｖ．２１、Ｖ．２７ｔｅｒ、Ｖ．２９、Ｖ．１７通信可能なデータ通信装置において、着信時にＡＮＳａｍ信号を送信し、相手機からＣＭ信号を受信した場合は、以後に着信するＤＩＳ信号のＦＩＦは所定バイトＡとし、一方、相手機からＣＭ信号を受信できない場合は、Ｖ．２１により所定バイトＡのＦＩＦのＤＩＳ信号を送信し、ここで所定回数Ｃ連続して相手機から有効信号を検出できない場合に、Ｖ．２１により所定バイトＢのＦＩＦのＤＩＳ信号を送信し、上記ＡＮＳａｍ信号を送信し、相手機からＣＭ信号を検出した場合、あるいは上記Ｖ．２１の所定バイトＡのＦＩＦのＤＩＳ信号を送信し、これに対してＶ．８のＣＩ信号を検出した場合に、Ｖ．３４のプロトコルシーケンスに移行した場合には、ＤＩＳ信号を送信するときに常にＦＩＦを所定バイトＡとし、上記所定バイトＡは１０、所定バイトＢは４、所定回数Ｃは２とすることを特徴とするデータ通信装置である。
【００３２】
【発明の実施の形態および実施例】
図１は、本発明の一実施例によるファクシミリ装置の構成を示すブロック図である。
【００３３】
ＮＣＵ（網制御装置）２は、電話網をデータ通信等に使用するために、その回線の端末に接続し、電話交換網の接続制御を行なったり、データ通信路への切換えを行なったり、ループの保持を行なうものである。また、ＮＣＵ２は、制御回路２０からの信号レベル（信号線２０ａ）が「０」であれば、電話回線２ａを電話機４側に接続し、信号レベルが「１」であれば、電話回線２ａをファクシミリ装置側に接続するものである。なお、通常状態では、電話回線２ａは、電話機４側に接続されている。
【００３４】
ハイブリッド回路６は、送信系の信号と受信系の信号とを分離し、加算回路１２からの送信信号をＮＣＵ２経由で、電話回線２ａに送出し、相手側からの信号をＮＣＵ２経由で受取り、信号線６ａ経由で、変復調器８に送るものである。
【００３５】
変復調器８は、ＩＴＵ−Ｔ勧告Ｖ．８、Ｖ．２１、Ｖ．２７ｔｅｒ、Ｖ．２９、Ｖ．１７、Ｖ．３４に基づいた変調、および復調を行なうものであり、信号線２０ｃにより、各伝送モードが指定される。この変復調器８は、信号線２０ｂに出力されている信号を入力し、変調データを信号線８ａに出力し、信号線６ａに出力されている受信信号を入力し、復調データを信号線８ｂに出力する。
【００３６】
ＡＮＳａｍ送出回路１０は、ＡＮＳａｍ信号を送出する回路であり、信号線２０ｄに信号レベル「１」の信号が出力されている時には、信号線１０ａにＡＮＳａｍ信号を送出し、信号線２０ｄに信号レベル「０」の信号が出力されている時には、信号線１０ａに何も信号を出力しない。
【００３７】
加算回路１２は、信号線８ａの情報と信号線１０ａの情報とを入力し、加算した結果を信号線１２ａに出力するものである。読取回路１４は、原稿の画像を読取り、この読取り画像データを信号線１４ａに出力するものである。記録回路１６は、信号線２０ｅに出力されている情報を順次１ライン毎に記録するものである。
【００３８】
メモリ回路１８は、読取りデータの生情報、あるいは、符号化した情報を格納したり、また、受信情報、あるいは、復号化した情報等を格納するために使用する。
【００３９】
操作部２２は、ワンタッチダイヤル、短縮ダイヤル、テンキー、＊・＃キー、セットキー、スタートキー、登録回路２４、２６、３０への登録キー、その他ファンクションキー等を有し、押下されたキー情報を信号線２２ａに出力するものである。
【００４０】
登録回路２４は、所定回数Ｄを登録する回路である。そして、後述する第２実施例では所定回数Ｄは２とし、第３実施例の自動動作では所定回数Ｄは３、手動動作では所定回数Ｄは２とし、さらに第４実施例のＣＳＩ信号ありでは所定回数Ｄは２、ＣＳＩ信号なしでは所定回数Ｄは３とする。
【００４１】
登録回路２６は、所定回数Ｅを登録する回路である。そして、後述する第２実施例では所定回数Ｅは４とし、第３実施例の自動動作では所定回数Ｅは５、手動動作では所定回数Ｅは３とし、さらに第４実施例のＣＳＩ信号ありでは所定回数Ｅは３、ＣＳＩ信号なしでは所定回数Ｅは４とする。
【００４２】
呼出信号検出回路２８は、呼出信号を検出する回路であり、信号線２ａの情報を入力し、呼出信号を検出していると信号線２８ａに信号レベル「１」の信号を出力し、呼出信号を検出していないと信号線２８ａに信号レベル「０」の信号を出力する。
【００４３】
登録回路３０は、ＤＩＳ信号のＦＩＦ送出バイト数の制御方法を登録する回路であり、１０バイトのＦＩＦのＤＩＳ信号を送信し、前手順エラーとなった場合、次の着信のみ４バイトのＦＩＦのＤＩＳ信号の送信とするか、その後の所定時間（例えば２０分）の着信で４バイトのＦＩＦのＤＩＳ信号の送信とするかを信号線３０ａを介して登録する。
【００４４】
制御回路２０は、本ファクシミリ装置全体を制御するものであり、特に本発明の第１実施例において、着信時にＡＮＳａｍ信号を送信し、相手機からＣＭ信号を受信した場合は、以後に着信するＤＩＳ信号のＦＩＦは所定バイトＡとし、一方、相手機からＣＭ信号を受信できない場合は、Ｖ．２１により所定バイトＡのＦＩＦのＤＩＳ信号を送信し、ここで所定回数Ｃ連続して相手機から有効信号を検出できない場合に、Ｖ．２１により所定バイトＢのＦＩＦのＤＩＳ信号を送信するように制御するものである。
【００４５】
また、前記ＡＮＳａｍ信号を送信し、相手機からＣＭ信号を検出した場合、あるいは前記Ｖ．２１の所定バイトＡのＦＩＦのＤＩＳ信号を送信し、これに対してＶ．８のＣＩ信号を検出した場合に、Ｖ．３４のプロトコルシーケンスに移行した場合には、ＤＩＳ信号を送信するときに常にＦＩＦを所定バイトＡとするように制御する。なお、本実施例において、前記所定バイトＡは１０、所定バイトＢは４、所定回数Ｃは２とする。
【００４６】
図２〜図６は、本発明の第１実施例による制御回路２０の制御の流れを示すフローチャートである。
【００４７】
図２において、Ｓ０で動作を開始する。そして、Ｓ２では、信号線２０の信号レベル「０」の信号を出力し、ＣＭＬをオフする。Ｓ４では、信号線２０ｄに信号レベル「０」の信号を出力し、ＡＮＳａｍ信号を送信しない。
【００４８】
Ｓ６では、着信が選択されたか否かを判断し、選択されるとＳ１０に進み、選択されていないとＳ８に進み、その他の処理をし、Ｓ２に進む。
【００４９】
Ｓ１０では、信号線２０ａに信号レベル「１」の信号を出力し、ＣＭＬをオンする。Ｓ１２では、タイマ０に４秒をセットする。Ｓ１４では、Ｔ１タイマに６０秒をセットする。
【００５０】
Ｓ１６では、ＡＮＳａｍ信号の送信を行い、Ｓ１８では、Ｖ．８のＣＭ信号を検出したか否かを判断し、検出するとＳ２２に進み、検出していないとＳ２０に進む。
【００５１】
Ｓ２０では、タイマ０がタイムオーバーしたか否かを判断し、タイムオーバーするとＳ４２に進み、タイムオーバーしていないとＳ１６に進む。
【００５２】
Ｓ２２ではＶ．８のＪＭ信号の送信、Ｓ２４ではＶ．８のＣＪ信号の受信、Ｓ２６ではＶ．３４のラインプロービング信号の受信、Ｓ２８ではＶ．３４のロングトレーニング信号の受信を順次実行する。
【００５３】
Ｓ３０では、Ｖ．３４のパラメータ交換を行う。ここで、送信するＤＩＳ信号のＦＩＦは常に１０バイトとする。Ｓ３２ではＶ．３４のプライマリチャネルの受信、Ｓ３４ではＶ．３４のコントロールチャネル通信を行う。
【００５４】
Ｓ３６では次ページがあるか否かを判断し、次ページがあるとＳ３８に進み、次ページがないとＳ４０に進む。
【００５５】
Ｓ３８ではモードチェンジがあるか否かを判断し、モードチェンジがあるとＳ３０に進み、モードチェンジがないとＳ３４に進む。
【００５６】
Ｓ４０では、Ｖ．３４のコントロールチャネルの通信を行う。Ｓ４２では、Ｖ．２１でのＤＩＳ信号を送信し、かつ相手機から不応答である回数をカウントするカウンタＤＩＳＣＮＴをクリアする。
【００５７】
Ｓ４４では、Ｖ．２１により、ＮＳＦ／ＣＳＩ／ＤＩＳ信号を送信する。ここでＤＩＳ信号のＦＩＦは１０バイトとし、ＤＩＳ信号により、Ｖ．３４通信機能ありを通知する。Ｓ４６では、Ｔ４タイマに３秒をセットする。
【００５８】
次にＳ４８、Ｓ５０、Ｓ５２、Ｓ５４では、Ｔ４タイマがタイムオーバーする前に、Ｖ．８のＣＩ信号を受信したか、Ｖ．２１のＮＳＣ／ＣＩＧ／ＤＴＣ信号を受信したか、Ｖ．２１のＮＳＳ／ＴＳＩ／ＤＣＳ信号を受信したか否かを判断し、Ｖ．８のＣＩ信号を受信するとＳ１６に進み、Ｖ．２１のＮＳＣ／ＣＩＧ／ＤＴＣ信号を受信すると、Ｓ５６に進み、Ｖ．２１のＮＳＳ／ＴＳＩ／ＤＣＳ信号を受信するとＳ７２に進み、Ｔ４タイマがタイムオーバーするとＳ６２に進む。
【００５９】
Ｓ５６では残りのＶ．２１による前手順、Ｓ５８ではＶ．２７ｔｅｒ、Ｖ．２９、Ｖ．１７によるポーリング送信、Ｓ６０ではＶ．２１による後手順を行う。Ｓ６２ではカウンタＤＩＳＣＮＴの値を１つインクリメントする。
【００６０】
次にＳ６４では、Ｔ１タイマがタイムオーバーしたか否かを判断し、タイムオーバーするとＳ６６に進み、エラー処理をしてＳ２に進み、タイムオーバーしていないとＳ６８に進む。
【００６１】
Ｓ６８では、カウンタＤＩＳＣＮＴが２以上であるか否かを判断し、２以上であるとＳ７０に進み、２未満であるとＳ４４に進む。
【００６２】
Ｓ７０では、Ｖ．２１によりＮＳＦ／ＣＳＩ／ＤＩＳ信号の送信をする。ここで、ＤＩＳ信号のＦＩＦは４バイトで、またＤＩＳ信号によりＶ．３４通信機能ありを通知しない。
【００６３】
Ｓ７２では残りのＶ．２１による前手順、Ｓ７４ではＶ．２７ｔｅｒ、Ｖ．２９、Ｖ．１７による画信号の受信、Ｓ７６ではＶ．２１による中間手順を行う。Ｓ７８では次ページがあるか否かを判断し、次ページがないとＳ８２に進み、Ｖ．２１による後手順を実行し、次ページがあるとＳ８０に進む。
【００６４】
Ｓ８０ではモードチェンジがあるか否かを判断し、モードチェンジがないとＳ７４に進み、モードチェンジがあるとＳ６８に進む。
【００６５】
次に本発明の第２実施例について説明する。
【００６６】
本発明の第２実施例において、制御回路２０は、初期識別信号のＤＩＳ信号のＦＩＦのバイト数を可変制御する手段を有し、着信時あるいは受信時における初期識別信号の送信で、所定回数Ｄまでの初期識別信号はＦＩＦがＦバイトであるＤＩＳ信号を送信し、所定回数Ｄを超え所定回数Ｅまでの初期識別信号はＦＩＦがＧバイトであるＤＩＳ信号を送信し、所定回数Ｅを超えた初期識別信号はＦＩＦがＨバイトであるＤＩＳ信号を送信するよう制御する。なお、本実施例では、例えばＦは１０、Ｇは６、Ｈは４とし、Ｄは２、Ｅは４とする。
【００６７】
図７〜図１１は、制御回路２０の制御の流れを示すフローチャートである。
【００６８】
図７において、Ｕ０で動作を開始し、Ｕ２では信号線２４ａを介して登録回路２４に所定回数Ｄの初期値として１を登録する。また、Ｕ４では、信号線２６ａを介して登録回路２６に所定回数Ｅの初期値として２を登録する。
【００６９】
Ｕ６では、信号線２０ａに信号レベル「０」の信号を出力し、ＣＭＬをオフする。
【００７０】
Ｕ８では、信号線２０ｄに信号レベル「０」の信号を出力し、ＡＮＳａｍ信号を送信しない。Ｕ１０では、信号線２２ａの情報を入力し、登録回路２４への登録が選択されたか否かを判断し、選択されるとＵ１２に進み、信号線２４ａを介して登録回路２４に所定回数Ｄとして、例えば２と登録してＵ１４に進み、選択されていないと直接Ｕ１４に進む。
【００７１】
Ｕ１４では、信号線２２ａの情報を入力し、登録回路２６への登録が選択されたか否がを判断し、選択されるとＵ１６に進み、信号線２６ａを介して登録回路２６に所定回数Ｅとして、例えば４と登録してＵ１８に進み、選択されていないと直接Ｕ１８に進む。
【００７２】
Ｕ１８では、着信が選択されたか否かを判断し、着信が選択されるとＵ２４に進み、着信が選択されていないとＵ２０に進む。
【００７３】
Ｕ２０では、受信が選択されたか否かを判断し、受信が選択されるとＵ２４に進み受信が選択されていないとＵ２２に進み、その他の処理をして、Ｕ６に進む。
【００７４】
Ｕ２４では、信号線２０ａに信号レベル「１」の信号を出力し、ＣＭＬをオンする。Ｕ２６ではＣＥＤ信号の送信を行い、Ｕ２８ではＴ１タイマに３５秒をセットする。
【００７５】
Ｕ３０では、初期識別手順（前手順）において、送出したＤＩＳ信号の回数をカウントするカウンタＤＩＳＣＮＴに０をセットする。
【００７６】
Ｕ３２では、信号線２４ａの情報を入力し、ＤＩＳＣＮＴは登録回路２４に登録されている所定回数Ｄ、例えば２回未満であるか否かを判断し、肯定応答であるとＵ３４に進み、否定応答であるとＵ４８に進む。
【００７７】
Ｕ３４では、Ｖ．２１のＮＳＦ／ＣＳＩ／ＤＩＳ信号の送信を行う。ここでＤＩＳ信号のＦＩＦは１０バイトである。Ｕ３６では、自動動作であるか否かを判断し、自動動作であるとＵ３８に進み、Ｔ４タイマに３秒をセットし、手動動作であるとＵ４０に進み、Ｔ４タイマに４．５秒をセットする。
【００７８】
この後、Ｕ４２、Ｕ４４、Ｕ４６では、Ｔ４タイマがタイムオーバーする前に、Ｖ．２１のＮＳＣ／ＣＩＧ／ＤＴＣ信号、あるいはＶ．２１のＮＳＳ／ＴＳＩ／ＤＣＳ信号を受信したか否かを判断し、Ｖ．２１のＮＳＣ／ＣＩＧ／ＤＴＣ信号を受信するとＵ５４に進み、Ｖ．２１のＮＳＳ／ＴＳＩ／ＤＣＳ信号を受信するとＵ６０に進み、Ｔ４タイマがタイムオーバーするとＵ６６に進む。
【００７９】
Ｕ４８では、信号線２６ａの情報を入力し、ＤＩＳＣＮＴは登録回路２６に登録されている所定回数Ｅ、例えば４回未満であるか否かを判断し、肯定応答であるとＵ５０に進み、否定応答であるとＵ５２に進む。
【００８０】
Ｕ５０では、Ｖ．２１のＮＳＦ／ＣＳＩ／ＤＩＳ信号の送信を行う。ここでＤＩＳ信号のＦＩＦは６バイトである。Ｕ５２では、Ｖ．２１のＮＳＦ／ＣＳＩ／ＤＩＳ信号の送信を行う。ここでＤＩＳ信号のＦＩＦは４バイトとする。この後、Ｕ３６に進む。
【００８１】
また、Ｕ５４では残りの前手順、Ｕ５６ではポーリング送信、Ｕ５８では後手順を行い、Ｕ６に進む。
【００８２】
また、Ｕ６０では残りの前手順を行い、Ｕ６２では画信号の受信／記録を行う。ここでモードチェンジがあった場合のＤＩＳ信号のＦＩＦは、前手順において相手機から有効応答のあった（すなわち、前手順において一番最後に送信した）ＤＩＳ信号のＦＩＦのバイト数とする。Ｕ６４では、後手順を行い、Ｕ６に進む。
【００８３】
また、Ｕ６６では、ＤＩＳＣＮＴの値を１つインクリメントする。そしてＵ６８では、Ｔ１タイマがタイムオーバーしたか否かを判断し、タイムオーバーするとＵ７０に進み、エラー処理をしてＵ６に進み、タイムオーバーしていないとＵ３２に進む。
【００８４】
次に本発明の第３実施例について説明する。
【００８５】
この第３実施例は、前記第２実施例において、手動動作と自動動作とで所定回数Ｄ、所定回数Ｅを別々に設定するものである。
【００８６】
図１２、図１３は、この第３実施例の動作のうち、前記第２実施例（図７〜図１１）と異なる部分を示すフローチャートである。
【００８７】
図１２において、Ｕ８０はＵ１０のＹＥＳを表している。そして、Ｕ８２では信号線２４ａを介して登録回路２４に所定回数Ｄを、例えば自動動作で３、手動動作で２と登録する。この後、Ｕ８４でＵ１４に進む。
【００８８】
また、Ｕ８６はＵ１４のＹＥＳを表している。そしてＵ８８では、信号線２６ａを介して登録回路２６に所定回数Ｅを、例えば自動動作で５、手動動作で３と登録する。そして、Ｕ９０ではＵ１８に進む。
【００８９】
また、Ｕ９２はＵ３０を表している。そして、Ｕ９４では手動動作であるか否かを判断し、手動動作であるとＵ１００に進み、自動動作であるとＵ９６に進む。
【００９０】
Ｕ９６では、ＤＩＳＣＮＴは登録回路２４に登録されている自動動作の所定回数Ｄ、例えば３未満であるか否かを判断し、肯定応答であるとＵ１０４（Ｕ３４）に進み、否定応答であるとＵ９８に進む。
【００９１】
Ｕ９８では、ＤＩＳＣＮＴは登録回路２６に登録されている自動動作の所定回数Ｅ、例えば５未満であるか否かを判断し、肯定応答であるとＵ１０６（Ｕ５０）に進み、否定応答であるとＵ１０８（Ｕ５２）に進む。
【００９２】
Ｕ１００では、ＤＩＳＣＮＴは登録回路２４に登録されている手動動作の所定回数Ｄ、例えば２未満であるか否かを判断し、肯定応答であるとＵ１０４に進み、否定応答であるとＵ１０２に進む。
【００９３】
Ｕ１０２では、ＤＩＳＣＮＴは登録回路２６に登録されている手動動作の所定回数Ｅ、例えば３未満であるか否かを判断し、肯定応答であるとＵ１０６（Ｕ５０）に進み否定応答であるとＵ１０８（Ｕ５２）に進む。
【００９４】
次に本発明の第４実施例について説明する。
【００９５】
この第４実施例は、前記第２実施例において、ＣＳＩ信号の送信の有無により、所定回数Ｄ、所定回数Ｅを別々に設定するものである。
【００９６】
図１４、図１５は、この第４実施例の動作のうち、前記第２実施例（図７〜図１１）と異なる部分を示すフローチャートである。
【００９７】
図１４において、Ｕ１１０はＵ１０のＹＥＳを表している。そして、Ｕ１１２では、信号線２４ａを介して登録回路２４に、所定回数Ｄを、例えばＣＳＩ信号なしで３、ＣＳＩ信号ありで２と登録する。そして、Ｕ１１４ではＵ１４に進む。
【００９８】
また、Ｕ１１６はＵ１４のＹＥＳを表している。そして、Ｕ１１８では信号線２６ａを介して登録回路２６に、所定回数Ｅを、例えばＣＳＩ信号なしで４、ＣＳＩ信号ありで３と登録する。そして、Ｕ１２０ではＵ１８に進む。
【００９９】
また、Ｕ１２２はＵ３０を表している。そして、Ｕ１２４ではＣＳＩ信号を送出するか否かを判断し、ＣＳＩ信号を送出する場合はＵ１２６に進み、ＣＳＩ信号を送出しない場合はＵ１３０に進む。
【０１００】
Ｕ１２６では、ＤＩＳＣＮＴは登録回路２４に登録されているＣＳＩありの所定回数Ｄ、例えば２未満であるか否かを判断し、肯定応答であるとＵ１３４（Ｕ３４）に進み、否定応答であるとＵ１２８に進む。
【０１０１】
Ｕ１２８では、ＤＩＳＣＮＴは登録回路２６に登録されているＣＳＩありの所定回数Ｅ、例えば３未満であるか否かを判断し、肯定応答であるとＵ１３６（Ｕ５０）に進み、否定応答であるとＵ１３８（Ｕ５２）に進む。
【０１０２】
Ｕ１３０では、ＤＩＳＣＮＴは登録回路２４に登録されているＣＳＩなしの所定回数Ｄ、例えば３未満であるか否かを判断し、肯定応答であるとＵ１３４に進み、否定応答であるとＵ１３２に進む。
【０１０３】
Ｕ１３２では、ＤＩＳＣＮＴは登録回路２６に登録されているＣＳＩなしの所定回数Ｅ、例えば４未満であるか否かを判断し、肯定応答であるとＵ１３６（Ｕ５０）に進み、否定応答であるとＵ１３８（Ｕ５２）に進む。
【０１０４】
次に本発明の第５実施例について説明する。
【０１０５】
この第５実施例において、制御回路２０は、ＤＩＳ信号のＦＩＦのバイト数を可変制御する手段を有し、着信時に初期識別信号として１０バイトのＦＩＦのＤＩＳ信号を送信し、前手順エラーとなった場合には、次回の着信に対しては初期識別信号として４バイトのＦＩＦのＤＩＳ信号を送信するよう制御するものである。
【０１０６】
図１６〜図１９は、この第５実施例における制御回路２０の制御の流れを示すフローチャートである。
【０１０７】
図１６において、Ｗ０で動作を開始し、Ｗ２では、ＤＩＳ信号のＦＩＦとして４バイトとするか１０バイトとするかを表すフラグＤＩＳＴＲＮに０をセットし、１０バイトの設定をする。
【０１０８】
Ｗ４では、信号線３０ａを介して登録回路３０に１０バイトのＦＩＦのＤＩＳ信号を送信し、前手順エラーとなった時に、次回の１回の着信に対してのみ、４バイトのＦＩＦのＤＩＳ信号を送信すると登録する。
【０１０９】
Ｗ６では、信号線２０ａに信号レベル「０」の信号を出力し、ＣＭＬをオフする。Ｗ８では、信号線２０ｄに信号レベル「０」の信号を出力し、ＡＮＳａｍ信号を送信しない。
【０１１０】
Ｗ１０では、信号線２２ａの情報を入力し、着信が選択されたか否かを判断し、着信が選択されるとＷ１４に進み、着信が選択されていないとＷ１２に進み、その他の処理をして、Ｗ６に進む。
【０１１１】
Ｗ１４では、信号線２０ａに信号レベル「１」の信号を出力し、ＣＭＬをオンする。Ｗ１６では、タイマＴ１に３５秒をセットする。Ｗ１８では、ＣＥＤ信号の送信を行う。
【０１１２】
Ｗ２０では、フラグＤＩＳＴＲＮが０であるか否かを判断し、０であるとＷ２２に進み、１であるとＷ２４に進む。
【０１１３】
Ｗ２２では、Ｖ．２１のＮＳＦ／ＣＳＩ／ＤＩＳ信号の送信を行う。ここでＤＩＳ信号のＦＩＦは１０バイトとする。
【０１１４】
また、Ｗ２４は、Ｖ．２１のＮＳＦ／ＣＳＩ／ＤＩＳ信号の送信を行う。ここでＤＩＳ信号のＦＩＦは４バイトとする。
【０１１５】
この後、Ｗ２６では、タイマＴ４に３秒をセットする。そして、Ｗ２８、Ｗ３０、Ｗ３２ではタイマＴ４がタイムオーバーする前に、Ｖ．２１のＮＳＳ／ＴＳＩ／ＤＣＳ信号、あるいはＶ．２１のＮＳＣ／ＣＩＧ／ＤＴＣ信号を検出したか否かを判断し、Ｖ．２１のＮＳＳ／ＴＳＩ／ＤＣＳ信号を検出するとＷ４８に進み、Ｖ．２１のＮＳＣ／ＣＩＧ／ＤＴＣ信号を検出するとＷ４２に進み、タイマＴ４がタイムオーバーするとＷ３４に進む。
【０１１６】
Ｗ３４では、タイマＴ１がタイムオーバーしたか否かを判断し、タイムオーバーするとＷ３６に進み、タイムオーバーしていないとＷ２０に進む。
【０１１７】
Ｗ３６では、フラグＤＩＳＴＲＮの値がチェックされ、０であるとＷ３８に進み、フラグＤＩＳＴＲＮに１をセットし、１であるとＷ４０に進み、フラグＤＩＳＴＲＮに０をセットする。
【０１１８】
Ｗ４２では、残りのＶ．２１による前手順を行い、Ｗ４４では、Ｖ．２７ｔｅｒ、Ｖ．２９、Ｖ．１７によるポーリング送信を行う。さらにＷ４６では、Ｖ．２１による後手順を行い、Ｗ４０に進む。
【０１１９】
また、Ｗ４８では、残りのＶ．２１による前手順を行い、Ｗ５０では、Ｖ．２７ｔｅｒ、Ｖ．２９、Ｖ．１７による画信号の送信を行う。ここでモードチェンジがあった場合、フラグＤＩＳＴＲＮが０であれば、ＤＩＳ信号のＦＩＦが４バイトのＶ．２１のＮＳＦ／ＣＳＩ／ＤＩＳ信号を送出し、一方、フラグＤＩＳＴＲＮが１であれば、ＤＩＳ信号のＦＩＦが１０バイトのＶ．２１のＮＳＦ／ＣＳＩ／ＤＩＳ信号を送出する。Ｗ５２ではＶ．２１による後手順を行い、Ｗ４０に進む。
【０１２０】
次に本発明の第６実施例について説明する。
【０１２１】
この第６実施例では、上述した第５実施例を変形したものであり、着信時に初期識別信号として１０バイトのＦＩＦのＤＩＳ信号を送信し、前手順エラーとなった場合、以降２０分間は着信時初期識別信号としての４バイトのＦＩＦのＤＩＳ信号を送信するよう制御するものである。
【０１２２】
図２０、図２１は、この第６実施例の動作のうち、前記第５実施例（図１６〜図１９）と異なる部分を示すフローチャートである。
【０１２３】
図２０において、Ｗ６０はＷ２を表している。そして、Ｗ６２では信号線３０ａを介して登録回路３０に、以降２０分間の着信に対してのみ４バイトのＦＩＦのＤＩＳ信号を送信すると登録する。そして、Ｗ６４ではＷ６に進む。
【０１２４】
また、Ｗ６６ではＷ１２を表している。そして、Ｗ６８ではフラグＤＩＳＴＲＮが１であるか否かを判断し、１であるとＷ７０に進み、０であるとＷ７４（Ｗ６）に進む。
【０１２５】
Ｗ７０では、ＤＩＳタイマがタイムオーバーしたか否かを判断し、タイムオーバーするとＷ７２に進み、フラグＤＩＳＴＲＮに０をセットしてＷ７４（Ｗ６）に進む。また、タイムオーバーしていないとＷ７４（Ｗ６）に進む。
【０１２６】
またＷ７６は、Ｗ３４のＹＥＳを表している。そして、Ｗ７８ではフラグＤＩＳＴＲＮに１をセットする。次に、Ｗ８０では、ＤＩＳタイマに２０分をセットする。この後、Ｗ８２でＷ６に進む。
【０１２７】
また、Ｗ８４、Ｗ８６でＷ４６からＷ６に進む。また、Ｗ８８、Ｗ９０でＷ５２からＷ６に進む。すなわち、Ｗ４０の処理（フラグＤＩＳＴＲＮに０をセットする）を行わないことを表している。
【０１２８】
次に本発明の第７実施例について説明する。
【０１２９】
この第７実施例では、上述した第５、第６実施例を組み合わせたものであり、登録回路３０に１０バイトのＦＩＦのＤＩＳ信号を送信し、前手順エラーとなった時、４バイトのＦＩＦのＤＩＳ信号の送信を次回の１回の着信のみに対してとするか、以後の２０分間とするかを登録し、この登録情報に基づいて着信制御を変えるものである。
【０１３０】
図２２は、この第７実施例の動作のうち、前記第５、第６実施例（図１６〜図２１）と異なる部分を示すフローチャートである。
【０１３１】
図２２において、Ｗ１００はＷ１２を表している。そして、Ｗ１０２では、信号線２２ａの情報を入力し、登録回路３０への登録が選択されたか否かを判断し、登録が選択されるとＷ１０４に進み、信号線３０ａを介して登録回路３０に４バイトのＦＩＦのＤＩＳ信号の送信を次回の１回の着信に対してのみとするか、以後の２０分間とするかを登録し、Ｗ１０６（Ｗ６）に進む。また、登録が選択されていないと、直接Ｗ１０６（Ｗ６）に進む。
【０１３２】
また、Ｗ１０８はＷ１０のＹＥＳを表している。そして、Ｗ１１０では信号線３０ａを介して登録回路３０に登録されている情報を入力し、１回のみの着信に対して４バイトのＦＩＦのＤＩＳ信号の送信と登録されていると、Ｗ１１２に進み、上述したＷ１４からＷ５２の制御を行い、Ｗ６に進む。また、以後２０分間の着信に対して、４バイトのＦＩＦのＤＩＳ信号の送信と登録されていると、Ｗ１１４に進み、上述したＷ１４からＷ５２に対し、Ｗ６６からＷ９０に変更した制御を行い、Ｗ６に進む。
【０１３３】
なお、以上のような制御回路の動作は、制御回路内のＣＰＵが制御回路内のＲＯＭやＲＡＭ等に記憶したプログラムに基づいて行うが、本発明は、このようなプログラムをフロッピディスクやハードディスク、あるいは光ディスクや光磁気ディスク、あるいはＣＤ−ＲＯＭやメモリカード等の各種外部記憶媒体に格納し、これを専用の読取装置によって制御回路内に取り込み、これを制御回路内のＣＰＵで実行するようにしてもよい。
【０１３４】
また、以上の実施例では、ＩＴＵ−Ｔ勧告Ｖ．８、Ｖ．３４に準拠したファクシミリ通信について説明したが、本発明は、このような勧告と同系統の機能を有する通信プロトコルに基づく各種の通信装置に適用し得るものである。
【０１３５】
また、以上の実施例では、スタンドアローンタイプのファクシミリ装置を例に説明したが、本発明はこれに限らず、例えばコピー機能や電子ファイル機能、さらにはデータ処理機能を通信機能と複合させた総合的なデータ処理システムにおけるデータ通信制御に適用し得るものである。また、読取回路や記録回路と分離された通信装置においても同様に適用し得るものである。
【０１３６】
【発明の効果】
請求項１、１０、１４記載の発明によれば、Ｖ．８、Ｖ．３４機能を有するファクシミリ装置において、Ｖ．８プロトコルあるいはＶ．３４プロトコルでは常に１０バイトのＦＩＦであるＤＩＳ信号を送信し、最大限の機能をいかした通信が可能である。また、Ｖ．２１のＤＩＳ信号を送信し、１０バイトのＦＩＦのＤＩＳ信号の送信に対して有効応答がない場合には、４バイトのＦＩＦのＤＩＳ信号を送信し、機能は低下するものの通信を確実に実行できる。
【０１３７】
請求項２〜６、１１、１５記載の発明によれば、このデータ通信装置がＤＩＳ信号のＦＩＦの拡張に対応していない装置と交信した場合でも、その相手先が設計された時代のＤＩＳ信号のＦＩＦが勧告化されていた機能までを生かした通信が可能になる。
【０１３８】
請求項５記載の発明によれば、ＤＩＳ信号の再送間隔は手動動作で４．５秒、自動動作で３秒と異なるが、これに対して所定回数Ｄ、所定回数Ｅを適切に決定でき、通信を確実に実行できる。
【０１３９】
請求項６記載の発明によれば、１つの初期識別信号はＮＳＦ／ＣＳＩ／ＤＩＳ信号であり、ＣＳＩ信号の有無により１つの初期識別信号の時間が異なるが、これに対して所定回数Ｄ、所定回数Ｅを適切に決定でき、通信を確実に実行できる。
【０１４０】
請求項７、８、９、１２、１３、１６、１７記載の発明によれば、相手送信機がＤＩＳ信号のＦＩＦの拡張に対応していなくても、前手順エラーとなるために、再ダイヤルすれば、確実に通信が実行でき、ＤＩＳ信号のＦＩＦを拡張している相手送信機とは高機能通信が可能になる。
【図面の簡単な説明】
【図１】本発明の一実施例によるファクシミリ装置を示すブロック図である。
【図２】本発明の第１実施例の動作を示すフローチャートである。
【図３】上記第１実施例の動作を示すフローチャートである。
【図４】上記第１実施例の動作を示すフローチャートである。
【図５】上記第１実施例の動作を示すフローチャートである。
【図６】上記第１実施例の動作を示すフローチャートである。
【図７】本発明の第２実施例の動作を示すフローチャートである。
【図８】上記第２実施例の動作を示すフローチャートである。
【図９】上記第２実施例の動作を示すフローチャートである。
【図１０】上記第２実施例の動作を示すフローチャートである。
【図１１】上記第２実施例の動作を示すフローチャートである。
【図１２】本発明の第３実施例の動作を示すフローチャートである。
【図１３】上記第３実施例の動作を示すフローチャートである。
【図１４】本発明の第４実施例の動作を示すフローチャートである。
【図１５】上記第４実施例の動作を示すフローチャートである。
【図１６】本発明の第５実施例の動作を示すフローチャートである。
【図１７】上記第５実施例の動作を示すフローチャートである。
【図１８】上記第５実施例の動作を示すフローチャートである。
【図１９】上記第５実施例の動作を示すフローチャートである。
【図２０】本発明の第６実施例の動作を示すフローチャートである。
【図２１】上記第６実施例の動作を示すフローチャートである。
【図２２】本発明の第７実施例の動作を示すフローチャートである。
【符号の説明】
２…ＮＣＵ、
４…電話機、
６…ハイブリッド回路、
８…変復調器、
１０…ＡＮＳａｍ送出回路、
１２…加算回路、
１４…読取回路、
１６…記録回路、
１８…メモリ回路、
２０…制御回路、
２２…操作部、
２４、２６、３０…登録回路、
２８…呼出信号検出回路。
【図１】
0003610220.tif 000002
【図２】
0003610220.tif 000003
【図３】
0003610220.tif 000004
【図４】
0003610220.tif 000005
【図５】
0003610220.tif 000006
【図６】
0003610220.tif 000007
【図７】
0003610220.tif 000008
【図８】
0003610220.tif 000009
【図９】
0003610220.tif 000010
【図１０】
0003610220.tif 000011
【図１１】
0003610220.tif 000012
【図１２】
0003610220.tif 000013
【図１３】
0003610220.tif 000014
【図１４】
0003610220.tif 000015
【図１５】
0003610220.tif 000016
【図１６】
0003610220.tif 000017
【図１７】
0003610220.tif 000018
【図１８】
0003610220.tif 000019
【図１９】
0003610220.tif 000020
【図２０】
0003610220.tif 000021
【図２１】
0003610220.tif 000022
【図２２】
0003610220.tif 000023